(57)【要約】【課題】家屋内の限られたスペースで洗濯機等の荷物の昇降作業を少人数で容易に行うことを可能とする。【解決手段】クレーンセット１はクレーン２とウェイト３とを備えている。クレーン２は、土台部２１、土台部２１から垂直上方向に延伸する支柱２２、支柱２２から水平方向に延伸するアーム２３、アーム２３に吊り下げられた洗濯機Ｗを昇降するための昇降機構２４を備え、全体の質量が２５キログラムである。ウェイト３は、各々１８キログラムの質量の４つのブロックからなり、クレーン２の土台部２１上に載置される。土台部２１の洗濯機Ｗ側への水平方向の長さは４０センチメートルであり、支柱２２から土台部２１が洗濯機Ｗ側に突出している部分である突出部２１１の長さは３センチメートルである。【選択図】図１
2011032022.tif 000002
【特許請求の範囲】
【請求項１】
床面に載置される土台部と、
前記土台部から前記床面に対して垂直上方向に延伸する支柱と、
前記支柱から前記床面に対する垂直方向とは異なる方向に延伸するアームと、
前記アームに吊り下げられた荷物を昇降するための昇降機構と
を備えたクレーンであって、
前記土台部の、前記支柱から見て前記アームに吊り下げられた荷物側への水平方向の突出の長さが前記土台部の当該水平方向の長さの２５パーセント以下である
クレーン。
【請求項２】
前記昇降機構は、
ワイヤーと、
前記ワイヤーの移動の経路を確定するプーリーと、
前記ワイヤーを引っ張る引張機構と
を有する
請求項１に記載のクレーン。
【請求項３】
質量が２０キログラム以上かつ３０キログラム以下である
請求項１または２に記載のクレーン。
【請求項４】
前記支柱は前記床面に対する垂直方向の長さが可変であり、最長にした場合の長さが１６０センチメートル以下である
請求項１乃至３のいずれかに記載のクレーン。
【請求項５】
前記アームが前記支柱に固着されている位置と、前記昇降される荷物が前記アームに吊り下げられている位置との間の長さが可変である
請求項１乃至４のいずれかに記載のクレーン。
【請求項６】
前記土台部は、前記アームが前記支柱から延伸する方向の長さが５０センチメートル以下である
請求項１乃至５のいずれかに記載のクレーン。
【請求項７】
請求項１乃至６のいずれかに記載のクレーンと、
前記クレーンが備える前記土台部のうち前記支柱から見て前記アームに吊り下げられた荷物側とは反対側の部分に載置されるウェイトと
を備える
クレーンセット。
【請求項８】
前記ウェイトは、質量が８０キログラム以下である
請求項７に記載のクレーンセット。
【請求項９】
前記ウェイトは、互いに分離可能な複数のブロックで構成される
請求項７または８に記載のクレーンセット。
【請求項１０】
互いに平行に配置された第１のバーおよび第２のバーと、一方の端部の下面が前記第１のバーの上面と連結し、かつ他方の端部の下面が前記第２のバーの上面に連結する第３のバーとを有する第１の部品と、
前記第１のバーと前記第２のバーとの間に形成される空間に配置される矩形状の第２の部品と、
前記第１のバーおよび前記第２のバーが水平となるように配置された前記第１の部品の上面側から下面側に伸び、前記第１のバーもしくは前記第２のバーの外側面に接する荷物吊上用ベルトと、
前記荷物吊上用ベルトの先端に設けられた荷物吊上用フックと
を備える荷物吊上治具。
【請求項１１】
荷物を床面より高い位置で保持するために当該荷物の下に配置されるべき支持台を、当該荷物の下に配置するために使用される器具であって、
使用者が握持するための棒状体である幹部と、
前記幹部の先端から、当該先端が向かう方向に二股に分かれるように延伸する枝部と、
を備える
支持台配置用器具。
【発明の詳細な説明】
【技術分野】
【０００１】
本発明は、洗濯機その他の荷物を昇降するのに適したクレーン、クレーンセット、荷物吊上治具および洗濯機を載置させる支持台を洗濯機下に配置するための支持台配置用器具に関する。
【背景技術】
【０００２】
近年、家庭電化製品の大型化に伴って、一般の家庭においても引っ越し等の何らかの理由により比較的重い荷物を昇降する必要が生ずることがある。それらの重い荷物の昇降には通常、困難が伴う。
【０００３】
そのような困難が伴う大型家電品の昇降の例として、例えば、洗濯機下に配置された排水管の高圧洗浄作業に伴う洗濯機の昇降がある。具体的には、洗濯機を配置している防水パンに設けられている排水管を洗浄するためには、当該洗濯機の下に設けられている排水口に高圧洗浄水を供給するためのホースを差し込む等の作業が必要である。ただし、洗濯機下のスペースが狭くホースの差し込み作業ができない場合が多い。そのような場合には、洗濯機下に必要なスペースを確保するために洗濯機下に支持台を配置する必要があるが、この支持台の配置作業には洗濯機の昇降作業が伴う。
【０００４】
上述した洗濯機の昇降作業を容易にするための装置として、特許文献１のリフト装置が提案されている。このリフト装置は、フォークを油圧アクチュエータで昇降駆動し、ドラム式洗濯機を簡単かつ安全に持ち上げることができるとしている。
【先行技術文献】
【特許文献】
【０００５】
【特許文献１】実登３１４０８９５号公報
【発明の概要】
【発明が解決しようとする課題】
【０００６】
マンション等の屋内において、洗濯機は比較的狭い場所に置かれることが多い。したがって、当該洗濯機を昇降するための装置等は、作業時に場所をとらないものであることが望ましい。冷蔵庫等の他の荷物の昇降についても同様である。
【０００７】
そこで、本発明は、狭い場所でも作業が可能な、洗濯機その他の荷物を昇降するための手段を提供することを目的とする。
【０００８】
また、洗濯機等の荷物をロープ等により吊り上げて昇降する場合に、荷物がロープ等により受ける力の方向によっては、荷物の自重により荷物が損傷を受ける場合がある。そこで、本発明は、荷物がそのような損傷を受ける可能性を低減させるための手段を提供することを目的とする。
【０００９】
また、上述した洗濯機のケースに限らず、荷物の下に支持台を配置する必要が生じた場合、例えばその荷物の周囲の３方が壁面で囲われていると、手を伸ばして荷物の下の奥の方に支持台を配置したり、また配置されている支持台を撤去したりすることが困難な場合がある。そこで、本発明は、そのような状況においても容易に支持台の配置および撤去を可能とするための手段を提供することを目的としている。
【課題を解決するための手段】
【００１０】
本発明は、上記の目的に鑑みて想到されたものであり、
床面に載置される土台部と、
前記土台部から前記床面に対して垂直上方向に延伸する支柱と、
前記支柱から前記床面に対する垂直方向とは異なる方向に延伸するアームと、
前記アームに吊り下げられた荷物を昇降するための昇降機構と
を備えたクレーンであって、
前記土台部の、前記支柱から見て前記アームに吊り下げられた荷物側への水平方向の突出の長さが前記土台部の当該水平方向の長さの２５パーセント以下である
クレーンを提供する（第１の実施形態）。
【００１１】
また、上記の第１の実施態様において、
前記昇降機構は、
ワイヤーと、
前記ワイヤーの移動の経路を確定するプーリーと、
前記ワイヤーを引っ張る引張機構と
を有する
構成を採用してもよい（第２の実施態様）。
【００１２】
また、上記の第１または２の実施態様において、
質量が２０キログラム以上かつ３０キログラム以下である
構成を採用してもよい（第３の実施態様）。
【００１３】
また、上記の第１乃至３のいずれかの実施態様において、
前記支柱は前記床面に対する垂直方向の長さが可変であり、最長にした場合の長さが１６０センチメートル以下である
構成を採用してもよい（第４の実施態様）。
【００１４】
また、上記の第１乃至４のいずれかの実施態様において、
前記アームが前記支柱に固着されている位置と、前記昇降される荷物が前記アームに吊り下げられている位置との間の長さが可変である
構成を採用してもよい（第５の実施態様）。
【００１５】
また、上記の第１乃至５のいずれかの実施態様において、
前記土台部は、前記アームが前記支柱から延伸する方向の長さが５０センチメートル以下である
構成を採用してもよい（第６の実施態様）。
【００１６】
また、本発明は、
上記の第１乃至６のいずれかの実施態様にかかるクレーンと、
前記クレーンが備える前記土台部のうち前記支柱から見て前記アームに吊り下げられた荷物側とは反対側の部分に載置されるウェイトと
を備える
クレーンセットを提供する（第７の実施態様）。
【００１７】
また、上記の第７の実施態様において、
前記ウェイトは、質量が８０キログラム以下である
構成を採用してもよい（第８の実施態様）。
【００１８】
また、上記の第７または８の実施態様において、
前記ウェイトは、互いに分離可能な複数のブロックで構成される
構成を採用してもよい（第９の実施態様）。
【００１９】
また、本発明は、
互いに平行に配置された第１のバーおよび第２のバーと、一方の端部の下面が前記第１のバーの上面と連結し、かつ他方の端部の下面が前記第２のバーの上面に連結する第３のバーとを有する第１の部品と、
前記第１のバーと前記第２のバーとの間に形成される空間に配置される矩形状の第２の部品と、
前記第１のバーおよび前記第２のバーが水平となるように配置された前記第１の部品の上面側から下面側に伸び、前記第１のバーもしくは前記第２のバーの外側面に接する荷物吊上用ベルトと、
前記荷物吊上用ベルトの先端に設けられた荷物吊上用フックと
を備える
荷物吊上治具を提供する（第１０の実施態様）。
【００２０】
また、本発明は、
荷物を床面より高い位置で保持するために当該荷物の下に配置されるべき支持台を、当該荷物の下に配置するために使用される器具であって、
使用者が握持するための棒状体である幹部と、
前記幹部の先端から、当該先端が向かう方向に二股に分かれるように延伸する枝部と、
を備える
支持台配置用器具を提供する（第１１の実施態様）。
【発明の効果】
【００２１】
本発明の第１の実施態様にかかるクレーンによれば、土台部における支柱から荷物側への水平方向の突出の長さが土台部全体の水平方向の長さの２５パーセント以下なので、突出の長さが土台部全体の長さに対し長い既存のクレーンと比較して、荷物の吊り上げに要するアームの荷物側への突き出しの長さを短くすることができ、その結果、屋内等の狭いスペースにおける作業が容易になる。
【００２２】
本発明の第２の実施態様にかかるクレーンによれば、昇降機構がワイヤーとプーリーと引張機構とを有しているので、例えば、支柱の長さやアームの角度を変更するための機構を設けなくとも、荷物の昇降を行うことができる。そのため、クレーンの軽量化が可能となる。
【００２３】
本発明の第３の実施態様にかかるクレーンにおいては、質量が２０キログラム以上かつ３０キログラム以下であるので、例えば一般的な作業者が一人でも運搬することができる。
【００２４】
本発明の第４の実施態様にかかるクレーンによれば、支柱の床面に対する垂直方向の長さが可変なので、荷物もしくは天井の高さに合わせて望ましい支柱の高さを実現することができる。
【００２５】
本発明の第５の実施態様にかかるクレーンによれば、アームにおける支柱に固着されている部分の位置と荷物が吊り下げられる部分の位置との間の距離を自在に変えられるので、荷物からクレーンまでの望ましい距離を実現した上で作業を行うことができる。
【００２６】
本発明の第６の実施態様にかかるクレーンによれば、クレーンが荷物に向かう方向の土台部の長さが５０センチメートル以下と短いため、室内におけるクレーンの取り回しが容易である。なぜなら、一般的なマンション等において、ユーザが洗濯機等を操作するためにそれらの機器の配置スペースの手前に設けられたスペースの奥行きは最短でも７５センチメートル程度であるためである。
【００２７】
本発明の第７の実施態様にかかるクレーンセットによれば、土台部の上に載置されるウェイトを備えているので、土台部における支柱から荷物側への水平方向の突出の長さが短くても、装置全体の重心を取ることができる。
【００２８】
本発明の第８の実施態様にかかるクレーンセットにおいては、ウェイトの質量が８０キログラム以下なので、ウェイトの運搬において作業者が特段の運搬装置等を用いる必要がない。
【００２９】
本発明の第９の実施態様にかかるクレーンセットにおいては、ウェイトが互いに分離可能な複数のブロックで構成されるので、例えば１名の作業者が複数回に分けて個々のブロックを運搬することができ、作業者の負担が軽減される。
【００３０】
本発明の第１０の実施態様にかかる荷物吊上治具によれば、荷物がその自重によって荷物吊上用ベルトから受ける力のうち、荷物の横方向の成分が第１の部品の抗力により打ち消されるため、例えば荷物が横方向に潰れるおそれが軽減されるとともに、荷物の上面で荷物と接する第２の部品が荷物の重心位置に応じて回転しようとする場合、第２の部品と第１の部品とが互いにずれて安定な位置に移動可能であるため、第２の部品に余計な力が加わることが回避され、荷物の上面に傷がつくおそれが軽減される。
【００３１】
本発明の第１１の実施態様にかかる支持台配置用器具によれば、使用者が手で握る幹部と当該幹部の一端から延伸し支持台の形状にフィットする枝部とを備えているので、狭いスペースでも少し離れたところから容易に支持台を配置することができる。
【図面の簡単な説明】
【００３２】
【図１】図１は、本発明の実施形態にかかるクレーンセットが洗濯機を吊り上げている状態を表した外観図である。
【図２】図２は、本発明の実施形態にかかる荷物吊上治具の外観図である。
【図３】図３は、本発明の実施形態にかかる支持台配置用器具の使用方法を説明する図である。
【図４】図４は、本発明の実施形態の一変形例を示す図である。
【発明を実施するための形態】
【００３３】
（実施形態）
以下、本発明の具体例である実施形態を、図面を用いて説明する。
【００３４】
図１は、本実施形態にかかるクレーンセット１が洗濯機Ｗを吊り上げている状態を表した外観図である。
【００３５】
クレーンセット１は、クレーン２と、ウェイト３とから構成される。クレーン２は、土台部２１と、土台部２１から垂直上方向に延伸する支柱２２と、支柱２２の上端に固着されるアーム２３と、アーム２３の先端から吊り下げられた洗濯機Ｗを昇降するための昇降機構２４とを備えている。
【００３６】
土台部２１は、例えば、スチール製であり、上から見た場合にアーム２３と平行な方向に細長い長方形板状である。当該長方形の長手方向の長さは、４０センチメートルであり、当該長手方向と垂直な方向の長さは３５センチメートルである。当該板の厚さは、４センチメートルである。
【００３７】
土台部２１は、下面が床面に接し、吊り下げられる洗濯機Ｗを含めた装置全体の重心を取る役割の一端を担っている。
【００３８】
なお、土台部２１は例えばスチール製であるとしたが、強度上の問題がなければ、スチール以外の金属もしくは強化プラスチック等であってもよい。
【００３９】
また、土台部２１の大きさは、装置全体の重心を取る目的および狭いスペースにおいて邪魔にならないという目的を達することができる限り、上述したものに限られない。ただし、多くのマンション等の洗濯機配置スペース手前の空間の広さに鑑みて、上述の長方形の長手方向の長さが５０センチメートル以下であることが望ましい。また、土台部２１の形状は、洗濯機Ｗを昇降する際にウェイト３等を載せて装置全体の重心を取ることができる限り長方形板状でなくてもよいが、本体の軽量化および必要となるウェイト３等の軽量化を考慮すると、支柱２２からアーム２３が伸びる方向が長手方向となる形状であることが望ましい。
【００４０】
支柱２２は、例えば、スチール製であり、土台部２１の長手方向の一端に近くかつ長手方向と垂直な方向の中心に近い位置から床面に対して垂直上方向に延伸している。すなわち、土台部２１において、支柱２２は昇降される洗濯機Ｗの側の端近くから床面に対して垂直上方向に延伸することになる。このため、洗濯機Ｗの昇降において洗濯機Ｗと支柱２２との距離を可能な限り短くすることができると同時に、土台部２１の支柱２２から見て洗濯機Ｗと反対側のスペースを広く確保することが可能となる。その効果等については後述する。
【００４１】
なお、支柱２２の下側の一端は、例えば、フランジのような形をしており土台部２１にネジ留めされている。土台部２１と支柱２２との固着方法はこれに限られないが、ネジ留めに代表されるように、容易に土台部２１と支柱２２との分解が可能である方法であれば、クレーン２を家屋内のような限られたスペースに少人数で搬入したりそこから撤去したりする際に好都合な場合があり、望ましい。
【００４２】
支柱２２は、例えば、垂直方向の長さが９０センチメートル以上かつ１５０センチメートル以下の範囲で可変であるが、本実施形態では１２０センチメートルで使用する例を示している。具体的には、例えば、支柱２２は、土台部２１から延伸する中空管状の第１の支柱２２１と、第１の支柱２２１の内側に差し込まれる第２の支柱２２２とにより構成される。第２の支柱２２２には、異なる高さ位置において水平方向に貫通するように複数の孔（図示略）が設けられており、ユーザは望ましい高さ位置の孔に第１の支柱２２１の直径よりも十分に長いピン（図示略）を差し入れた後、当該ピンが第２の支柱２２２の孔から両方向外側に突出する部分を第１の支柱２２１の上面に載せることによって、第２の支柱２２２の高さ位置を決める。このようにして、ユーザは支柱２２全体の長さを望ましい長さに調節することができる。
【００４３】
さらに、例えば第１の支柱２２１の上端付近に、第２の支柱２２２に差し入れられたピンが載る位置を上下に調整可能とする機構を設けることにより、より細かく支柱２２の長さを調整可能としてもよい。
【００４４】
支柱２２を可変にできる利点は、天井の高さと洗濯機Ｗの高さに合わせて、望ましい支柱２２の高さを選択できるということである。
【００４５】
なお、支柱２２は例えばスチール製であるとしたが、強度上の問題がなければ、スチール以外の金属もしくは強化プラスチック等であってもよい。
【００４６】
また、支柱２２の垂直方向の長さは、上述の一例に限られないが、例えば一般的な家屋内においての使用を考慮するならば、最長にした場合の長さが１６０センチメートル以下で可変であることが望ましい。なお、望ましい支柱２２の高さを常に確保できる空間で用いられるのであれば、支柱２２の垂直方向の長さは可変でなくてもよい。
【００４７】
ここで、土台部２１における支柱２２から見てアーム２３に吊り下げられた洗濯機Ｗ側への水平方向の突出部２１１の長さは、洗濯機Ｗを含めた装置全体の重心を取る目的からは長いことが望ましい。しかし、以下に述べる理由から、本実施形態にかかるクレーンセット１では、敢えて突出部２１１の長さを３センチメートルと極めて短く設定している。この場合、突出部２１１の水平方向の長さ（3センチメートル）は土台部２１の水平方向の長さ（40センチメートル）の７．５パーセントである。
【００４８】
突出部２１１の長さを短くしている第１の理由は、洗濯機Ｗを配置している洗濯機用の防水パンＰの際まで支柱２２を近づけ、洗濯機Ｗの吊り上げに要するアーム２３の長さを短くすることを可能とするためである。アーム２３を短くできれば、クレーンセット１の取り回しが容易になるだけでなく、洗濯機Ｗを吊り下げた状態でクレーンセット１の重心を取るために要するウェイト３等の質量を軽減することが可能となる。
【００４９】
突出部２１１の長さを短くしている第２の理由は、土台部２１の支柱２２からみて洗濯機Ｗと反対側の部分の長さを長くすることによって、洗濯機Ｗを吊り下げた状態でクレーンセット１の重心を取るためにウェイト３等を土台部２１に載せるスペースを広く確保すると同時に、必要なウェイト３等の質量を軽減することを可能とするためである。
【００５０】
なお、一般的なドラム式の洗濯機Ｗの質量は、概ね７５キログラム程度である。また、現在一般的に普及している洗濯機用の防水パンのサイズは３種類ほどあるが、防水パンＰの大きさは、上から見た場合に縦幅および横幅ともに６４センチメートルであるものとする。
【００５１】
また、突出部２１１の長さ、すなわち土台部２１における支柱２２の側面から昇降される洗濯機Ｗの側の端までの長さを例えば３センチメートルとしたが、狭いスペースでもクレーンセット１を配置することができるという目的に照らし、当該長さは土台部２１の水平方向の長さの２５パーセント以下（土台部２１の水平方向の長さが４０センチメートルであれば１０センチメートル以下）であれば３センチメートルに限られない。なお、突出部の長さの土台部全体の長さに対する比率としては、小さい方が望ましく、例えば２５パーセント以下の中でも２０パーセント以下がより効果的であり、２０パーセント以下の中でも１５パーセント以下がより効果的であり、１５パーセント以下の中でも１０パーセント以下がより効果的であり、１０パーセント以下の中でも５パーセント以下がより効果的であり、理想的には０パーセント（すなわち突出部２１１がない）であることが望ましい。
【００５２】
アーム２３は、例えば、支柱２２の上端にネジ留めによって固着され横方向に延伸している。ネジ留めの方法としては、例えば、支柱２２の上端に備えられたフランジに２本のＵ字状雄ネジを取り付け、その内側にアーム２３を挿入して下側から４個の雌ネジを捩じり込むことによりアーム２３を締め付けて固着させる方法が考えられる。ただし、これによって本発明が限定されるものではない。
【００５３】
アーム２３は、例えば、スチール製であり、吊り下げられるべき洗濯機Ｗの側の先端から当該洗濯機Ｗを吊り下げている。
【００５４】
なお、アーム２３は、支柱２２に固着された位置から横方向に延伸するものとしたが、横方向でなくとも斜め方向であってもよい。また、アーム２３は、支柱２２の上端でなくとも、支柱２２の一部分に固着されていればよい。
【００５５】
アーム２３の長手方向の長さは、例えば、６０センチメートルである。図１の例では、アーム２３は、洗濯機Ｗ側を前方とした場合、支柱２２から前方に約４０センチメートル、後方に約２０センチメートル、各々延伸する位置で、支柱２２の上端に固着されている。
【００５６】
アーム２３が支柱２２の上端に固着されている位置は、ネジを緩めることにより移動することが可能である。これにより、アーム２３の支柱２２に固着されている位置と洗濯機Ｗが吊り下げられる位置との間の長さを自在に変化させることができる。また、ネジを大きく緩めるか、取り外すことにより、支柱２２とアーム２３とは分解が可能である。そのため、家屋内等の限られたスペースに少人数でクレーン２を搬入したり、そこからクレーン２を撤去したりする際に必要であれば、支柱２２とアーム２３との組み立て・分解を容易に行うことができる。
【００５７】
上記のようにネジ留めによりアーム２３が支柱２２から前方に突き出る長さを調整する方法に代えて、もしくはそれに加えて、アーム２３の突き出しの長さを連続的に変更可能な長さ調整機構をクレーン２に備えさせてもよい。そのような長さ調整機構の一例として、例えば、アーム２３の下面にラック（平歯車とかみあう直線歯形の歯車）を設け、支柱２２に対しアーム２３をその長手方向に移動可能なように取り付け、支柱２２の上端部付近にアーム２３のラックと噛み合うように平歯車を設けることが考えられる。そのような長さ調整機構を設けた場合、ユーザは当該平歯車を回転させることにより、例えば荷物を吊り下げた状態であっても、アーム２３を支柱２２から前方に延伸させたり、後方に後退させたりすることができる。
【００５８】
また、アーム２３が支柱２２に固着されている位置を動かさなくとも、アーム２３において洗濯機Ｗが吊り下げられる位置を当該洗濯機Ｗの側の先端にするか当該先端よりも手前にするか選択することによって、上述と同様の効果を得ることができる。
【００５９】
また、アーム２３は、昇降機構２４の一部を吊り下げるためのフック２３１を、吊り下げられた洗濯機Ｗとは反対側の端付近に備えている。
【００６０】
また、アーム２３は例えばスチール製であるとしたが、強度上の問題がなければ、スチール以外の金属もしくは強化プラスチック等であってもよい。
【００６１】
昇降機構２４は、例えば、昇降される洗濯機Ｗに取り付ける荷物吊上治具２４１と、荷物吊上治具２４１に一端を取り付けられるワイヤー２４２と、ワイヤー２４２の移動の経路を確定しその移動を容易にする３個のプーリー２４３１、２４３２、２４３３と、ワイヤー２４２の荷物吊上治具２４１に取り付けられる一端とは別の一端に取り付けられる鎖２４４と、洗濯機Ｗを昇降するために鎖２４４を引っ張る引張機構２４５とを有する。
【００６２】
荷物吊上治具２４１は、例えば、Ｈ形状の第１の部品２４１１と、第１の部品２４１１の内側に配置される矩形状の第２の部品２４１２と、第１の部品２４１１の上面側から両側面にぶら下げられる２本の荷物吊上用ベルト２４１３と、荷物吊上用ベルト２４１３の先端の各々に設けられたフック２４１４とを有する。
【００６３】
図２は、荷物吊上治具２４１の外観図である。図２（ａ）は荷物吊上治具２４１の上面図、図２（ｂ）は荷物吊上治具２４１を構成する第１の部品２４１１および第２の部品２４１２を組み合わせる前の状態を示す図、図２（ｃ）は荷物吊上治具２４１を構成する第１の部品２４１１および第２の部品２４１２を組み合わせた後の状態を示す図である。
【００６４】
図２に示されるように、第１の部品２４１１は、互いに平行に配置された２本の第１のバー２４１１１と、当該２本の第１のバー２４１１１の各々の長手方向中心位置の上面に載るように配置され、端部が第１のバー２４１１１と各々ネジ留めもしくは溶接された第２のバー２４１１２とを有する。２本の第１のバー２４１１１の間隔は、ネジ留め等により自由に調節することが可能である。
【００６５】
第２のバー２４１１２の中心部分には、フック２４１１３が備えられており、そのフック２４１１３にワイヤー２４２の一端を取り付けることが可能となっている。具体的には、フック２４１１３にワイヤー２４２の一端に取り付けられたフック２４２１が引っ掛けられ、両者が係着される。
【００６６】
洗濯機Ｗを昇降する際には、第２のバー２４１１２の両側において第１のバー２４１１１と垂直な方向に２本の荷物吊上用ベルト２４１３がぶら下げられる。その２本の荷物吊上用ベルト２４１３の先端部分には各々に１個ずつ、すなわち合計４個のフック２４１４が設けられている。
【００６７】
４個のフック２４１４の各々は、洗濯機Ｗを昇降する際に、例えば、当該洗濯機Ｗの側面に設けられている運搬用の凹みに掛けられる。
【００６８】
なお、荷物吊上用ベルト２４１３には、例えばラチェットバックル等が取り付けられ、締め上げが可能となっている。作業者は、フック２４１４を洗濯機Ｗ側面の凹みに引っ掛けた状態で荷物吊上用ベルト２４１３の長さを短く締め上げる。洗濯機Ｗの昇降時に荷物吊上用ベルト２４１３に余計な弛みが出ることを防ぐためである。
【００６９】
第１の部品２４１１、より具体的には第１のバー２４１１１があることによって、洗濯機Ｗを昇降する際に荷物吊上用ベルト２４１３が洗濯機Ｗに横方向の負荷をかけることを防いでいる。すなわち、荷物吊上用ベルト２４１３は、洗濯機を昇降する際に第１の部品２４１１を介して上向きに引き上げる力のみを洗濯機Ｗにかけることになる。
【００７０】
第２の部品２４１２は、ネジ留め等により、荷物吊上用ベルト２４１３と平行な方向および垂直な方向の長さがともに可変となっている。これによって、第２の部品２４１２の大きさは、洗濯機Ｗの上面とほぼ同じ大きさに調節することができる。なお、２本の第１のバー２４１１１の間隔は、第２のバー２４１１２に対するネジ留め等により、第２の部品２４１２の幅方向の長さに応じて変更される。
【００７１】
また、第２の部品２４１２は、使用時に第１の部品２４１１の内側、すなわち第２のバー２４１１２の下側に保持される。具体的には、第２の部品２４１２は、２本の第１のバー２４１１１によって両側から適当な力で締め付けられた状態で使用され、以下に説明するような利点を有する。
【００７２】
すなわち、先ず第２の部品２４１２を洗濯機Ｗの上面に合わせて配置し、その配置した第２の部品２４１２に第１の部品を合わせて位置決めすることにより、荷物吊上用治具２４１全体の位置を適切なものとすることができる。また、洗濯機Ｗを昇降する際に、洗濯機Ｗが重心位置に従いいずれかの方向に傾こうとする場合がある。その場合、荷物吊上用ベルト２４１３により傾きが固定されている第１の部品２４１１と、洗濯機Ｗと一体となって傾こうとする第２の部品２４１２とが互いに摺動することにより洗濯機Ｗの上面にかかる不要な負荷が軽減される。その結果、洗濯機Ｗが損傷を受けるおそれが低減される。さらに、第２の部品２４１２が内側から支持することにより、第１の部品２４１１が荷物吊上用ベルト２４１３から受ける負荷で変形することを防ぐ。
【００７３】
なお、荷物吊上治具２４１が直接、洗濯機Ｗに載せられると、荷物吊上治具２４１により洗濯機Ｗの表面に細かい傷がつくおそれがあるため、荷物吊上治具２４１と洗濯機Ｗとの間に段ボール紙等の緩衝材を挟むことが望ましいが、これによって本発明が限定されるものではない。
【００７４】
ワイヤー２４２は、荷物吊上治具２４１に取り付けられた一端から始まり、アーム２３における吊り下げられた洗濯機Ｗの側の一端に取り付けられた第１のプーリー２４３１を通り、アーム２３における支柱２２の上端が接する部分の付近に取り付けられた第２のプーリー２４３２を通り、支柱２２に沿って支柱２２の下側まで伸び、支柱２２の下端付近に取り付けられた第３のプーリー２４３３を通って終端に至る。
【００７５】
ワイヤー２４２の終端は、鎖２４４の一端に取り付けられている。具体的には、鎖２４４の一端に設けられたフック２４４１にワイヤー２４２の一端に設けられたフック２４２２が引っ掛けられて、両者が係着されている。
【００７６】
鎖２４４は、ワイヤー２４２の終端に取り付けられた一端のある支柱２２の下端付近から上向きに伸びて引張機構２４５の内側を通っている。そして、引張機構２４５を通り抜けた先の終端は、フリーの状態になっている。
【００７７】
引張機構２４５は、フック２４５１を備えている。フック２４５１は、アーム２３の吊り下げられた洗濯機Ｗとは反対側の端付近に具備されているフック２３１に引っ掛けられる。そのようにして両者は係着され、引張機構２４５はぶら下げられている。
【００７８】
また、引張機構２４５は、引張機構フック２４５１以外に、内側に鎖２４４を通す通路を有する枠と、当該枠に固着されており一方向にのみ回転して鎖２４４の移動を強制もしくは規制する円盤状部品と、当該円盤状部品を手動で回転させるための把持部２４５２と、当該回転の方向を決定するスイッチとを有している。
【００７９】
上述の枠の内側において上述の円盤状部品の歯車部分が鎖２４４と噛み合っており、通常の状態では引っ張りの負荷をかけても鎖２４４が移動しないようになっている。そして、把持部２４５２を手で握って上下に動かすと、当該歯車部分が回転し鎖２４４が引張機構２４５の内側で一方向にのみ移動する。
【００８０】
なお、引張機構２４５が有するスイッチを切り替えることによって、上述の歯車部分の回転の方向すなわち鎖２４４が移動する方向を逆にすることができる。スイッチで、歯車部分に引っ掛ける爪を逆方向に切り替える構造になっているからである。
【００８１】
また、昇降機構２４の荷物吊上用ベルト２４１３を除いた構成部品は、例えば、スチールその他の金属製であり、荷物吊上用ベルト２４１３は、例えば、ナイロン製である。ただし、これによって本発明が限定されるものではない。
【００８２】
クレーン２の質量は、例えば、２５キログラムである。このような軽量のクレーン２を構成したことで、比較的に少ない人数の作業者でクレーン２を運搬することができ、結果として作業コストを削減できる。
【００８３】
ウェイト３は、例えば、質量１８キログラムの互いに分離可能なブロックを４個組み合わせて使用する。具体的には、洗濯機Ｗを昇降する際に、当該洗濯機Ｗを含めた装置全体の重心を取る目的で、土台部２１における吊り下げられるべき洗濯機Ｗとは反対側の上面にウェイト３を配置する。
【００８４】
ウェイト３を上述のブロックに分割したことにより、ウェイト３を運ぶことが容易となり作業効率を上げることができる。
【００８５】
なお、上述のブロックは、例えば、プラスチック製のケースに砂等の重りを入れたものであるが、本発明はこれによって限定されるものではない。また、本発明において、当該ブロックの質量は１８キログラムに限られず、使用する数も４個に限られない。ウェイト３の質量は軽量であればあるほど作業者の負荷は減る。クレーン２の質量が上述したものである場合、一般的な作業者およびドラム式洗濯機の質量を考慮すると、ウェイト３の質量は８０キログラム以下であることが望ましい。
【００８６】
上述したように、クレーンセット１はクレーン２およびウェイト３のいずれも軽量化を図っているため、例えば一般的なドラム式洗濯機（概ね７５キログラム）を吊り上げようとしても、そのままではクレーンセット１はその重心を取ることができない。そのため、作業者がウェイト３の上に乗った状態で、クレーンセット１を用いた洗濯機の吊り上げ作業を行う。これにより、ウェイト３によっては不足する質量が作業員の質量により補われ、洗濯機が吊り上げられた状態においても、クレーンセット１は重心を取ることができる。
【００８７】
以下、作業の手順について、簡単に説明する。
【００８８】
クレーン２を、洗濯機Ｗの前のスペースに正しい角度で配置する。具体的には、突出部２１１の端を上述の防水パンＰの端と平行になるようにして極めて近くまで寄せる。このとき、アーム２３の先端すなわち洗濯機Ｗを吊り下げる位置が洗濯機Ｗの上面の中心付近にくることに注意する。この位置が大きくずれるとバランスよく洗濯機Ｗを持ち上げることができないからである。
【００８９】
次に、荷物吊上治具２４１を洗濯機Ｗに取り付ける。取り付け方は、上述の通りである。さらに、引張機構２４５からワイヤー２４２を引き出して、ワイヤー２４２の一端を荷物吊上治具２４１に取り付ける。
【００９０】
そして、ウェイト３を土台部２１の上面に載せる。さらに、作業者がウェイト３の上に乗る。
【００９１】
異常がなければ、作業者が把持部２４５２を握って上下に往復運動をする。洗濯機Ｗが１５センチメートルほど持ちあがったら、把持部２４５２の往復運動を止める。
【００９２】
１人の作業者が洗濯機Ｗの下側の４つの角部の下にある防水パンＰの四隅に、４つの支持台Ｓをそれぞれ配置する。支持台Ｓの大きさは、例えば、洗濯機Ｗの足が接する部分の四角形断面において縦幅および横幅がともに１５センチメートルであり、高さは１０センチメートルである。そして、支持台Ｓは、防水パンＰに接する部分の断面積が洗濯機Ｗの足が接する部分の断面積よりも小さくなっていて、上に行くにしたがってあるところで階段状に断面積が変化して大きくなるようになっている。以下、支持台Ｓの断面積が小さい部分を「台座部」、断面積が大きい部分を「つば部」と呼ぶ。
【００９３】
支持台Ｓを洗濯機Ｗの奥側に配置する際に、作業者は支持台配置用器具４を使用すると便利である。なぜなら、洗濯機Ｗの下に生じた狭いスペースに作業者が手を差し入れて支持台Ｓを配置しようとすると、手が届かない等の困難が伴うためである。
【００９４】
図３に示されるように、支持台配置用器具４は、握持するための棒状体である幹部４１と、幹部４１の一の端部から二股に分かれるように延伸するコの字形状の枝部４２とを備えている。枝部４２は、使用時に支持台Ｓの台座部を内側に挟み込むようになっている。なお、本実施形態における枝部４２は支持台Ｓの台座部の形状に応じてコの字形状を有しているが、枝部の形状は支持台の台座部の形状に応じて様々に変更され得る。
【００９５】
作業者は、支持台配置用器具４が水平になるようにして幹部４１の後端付近を握り、支持台Ｓの台座部の側面を枝部４２で挟み込むように支持台配置用器具４を支持台Ｓに押し当てる。その状態で、支持台Ｓのつば部を枝部４２が下方から持ち上げるように、支持台配置用器具４を持ち上げる。作業者は、そのように持ち上げた支持台Ｓを望みの位置に下ろした後、支持台配置用器具４を支持台Ｓから抜き去る。このようにして、作業者は支持台Ｓの配置を容易に行うことができる。
【００９６】
作業者は、４つの支持台Ｓを適切な位置に配置した後、引張機構２４５のスイッチを切り替えて、再び把持部２４５２を上下に往復運動する。これにより、クレーン１に吊り下げられている洗濯機Ｗが下がる。作業者は、洗濯機Ｗが支持台Ｓの上に載って安定すると、把持部２４５２の往復運動を止める。
【００９７】
これにより、洗濯機Ｗの下に十分な空間が確保されるので、作業者は例えば高圧洗浄用のホースを防水パンＰの排水口に差し込んで排水管の洗浄を行うことができる。なお、排水管の洗浄作業が終了後、支持台Ｓを撤去する必要がある場合には、作業者は上述した作業と同様の作業により洗濯機Ｗを吊り上げ、支持台Ｓを撤去した後、洗濯機Ｗを元の位置に降ろす。
【００９８】
上記のように、クレーンセット１によれば、例えば家屋内において大型家電品の昇降を、２名程度という少人数で、かつ容易に行うことができる。
【００９９】
（変形例）
上述した実施形態は本発明の技術的思想の範囲内で様々に変形可能である。以下に、そのような変形例を示す。
【０１００】
図４は、本変形例にかかるクレーン２の外観図である。ただし、上述の実施形態にかかるクレーン２と同じ構成要素については、簡略化して図示している。
【０１０１】
本変形例は、昇降機構２４が、上記の実施形態におけるワイヤー２４２、３個のプーリー２４３１、２４３２、２４３３、鎖２４４および引張機構２４５の代わりに、支柱上昇機構２４６を備え、アーム２３が吊り下げられる洗濯機Ｗの側の先端に荷物吊上治具２４１に取り付ける荷物吊上用鎖２３２を備えている構成を採用する。
【０１０２】
支柱上昇機構２４６は、支柱２２の上下方向中心付近に設けられ、ネジの回転運動を第２の支柱２２２の上下運動に変換する機構である。作業者は、当該ネジを例えば電動式の回転器具等を用いて回転させることにより、第２の支柱２２２を上昇および下降させることができる。
【０１０３】
このような構成を備えるクレーン２によれば、ワイヤーやプーリーを用いたクレーンと比較し部品点数を少なくすることができる。従って、例えばクレーン２を分解および組立が可能な構造とした場合、その分解・組立が容易となる。
【０１０４】
上述した変形例は、本願発明にかかるクレーンをワイヤー式のジブクレーン以外の方式で実現した一例である。本願発明にかかるクレーンは、土台部、支柱およびアームを基本構成要素とするクレーンであれば、いずれの方式のものであってもよい。
【産業上の利用可能性】
【０１０５】
本発明にかかるクレーン等は、例えば、洗濯機に代表される大型家電品の下に支持台を配置する場合や、引っ越し作業における家具の移動、倉庫等の狭いスペースでの荷物の昇降作業等、様々な分野およびシチュエーションにおいて利用され得る。
【符号の説明】
【０１０６】
１…クレーンセット、２…クレーン、３…ウェイト、４…支持台配置用器具、２１…土台部、２２…支柱、２３…アーム、２４…昇降機構、４１…幹部、４２…枝部、２１１…突出部、２２１…第１の支柱、２２２…第２の支柱、２３１…フック、２３２…荷物吊上用鎖、２４１…荷物吊上治具、２４２…ワイヤー、２４４…鎖、２４５…引張機構、２４６…支柱上昇機構、２４１１…第１の部品、２４１２…第２の部品、２４１３…荷物吊上用ベルト、２４１４…フック、２４２１…フック、２４２２…フック、２４３１…プーリー、２４３２…プーリー、２４３３…プーリー、２４４１…フック、２４５１…フック、２４５２…把持部、２４１１１…第１のバー、２４１１２…第２のバー、２４１１３…フック。
【図１】
2011032022.tif 000003
【図２】
2011032022.tif 000004
【図３】
2011032022.tif 000005
【図４】
2011032022.tif 000006